(57)【要約】【課題】  複数の筆記体を備え、その筆記体の一つにシャープペンシルが含まれる複式筆記具において、上記シャープペンシルの芯タンクに収納された替芯の芯折れを防止できると共に、上記芯タンクの容量を増大して替芯の収納本数を増加させることにより替芯補充の煩雑を解消することができる複式筆記具を提供する。【解決手段】  軸の内部に、シャープペンシルを含む複数種類の筆記体が収納され、各筆記体は筆先部を軸先端口において交互に出没しうるように構成され、上記シャープペンシルは、シャープペンシル本体の後端部に連設された芯タンクと、上記芯タンクの後端部に接合された繰出操作部材とを備え、上記芯タンクは金属製であると共に、上記繰出操作部材の先端部には、上記芯タンクの軸方向に沿って折り曲げ可能に形成された接合部が設けられている。【選択図】  図４
2008221512.tif 000002
【特許請求の範囲】
【請求項１】
筆記具用軸の内部に、シャープペンシルを含む複数種類の筆記体が収納され、各筆記体は筆先部を軸先端口において交互に出没しうるように構成された複式筆記具であって、
上記シャープペンシルは、シャープペンシル本体と、上記シャープペンシル本体の後端部に連設された芯タンクと、上記芯タンクの後端部に接合された繰出操作部材とを備えた複式筆記具において、
上記芯タンクは金属製であると共に、上記繰出操作部材の先端部には、上記芯タンクの軸方向に沿って折り曲げ可能に形成された接合部が設けられていることを特徴とする複式筆記具。
【請求項２】
上記接合部は、上記芯タンク内に挿入されて芯タンクと接合され、上記芯タンクの内周面部に対して、常時、径方向において線接触し、上記接触部位を支点として、上記繰出操作部材と上記芯タンク及びシャープペンシル本体とが、径方向に沿って相互に折れ曲がりうるように接合されるように形成されていることを特徴とする請求項１記載の複式筆記具。
【請求項３】
上記接合部は、全体略円錐状に形成され、先端部方向に至るに従って次第に細径となる周面を有する突起部を有することを特徴とする請求項２記載の複式筆記具。
【請求項４】
上記芯タンクの後端部には、上記突起部の繰出操作部材の後端部側に配置され、上記突起部と係合しうるリブが設けられていることを特徴とする請求項３記載の複式筆記具。
【請求項５】
上記接合部は、上記突起部の繰出操作部材の後端部側において設けられ、上記繰出操作部材と上記芯タンク及びシャープペンシル本体とが、径方向に沿って相互に折れ曲がった場合には、上記リブが当接しうるフランジ部を有することを特徴とする請求項４記載の複式筆記具。
【請求項６】
上記芯タンクの後端部には、軸方向に沿ってスリットが形成されていることを特徴とする請求項２〜５のいずれか１項記載の複式筆記具。
【請求項７】
上記スリットは、径方向において対向する部位に夫々設けられていることを特徴とする請求項６記載の複式筆記具。
【発明の詳細な説明】
【技術分野】
【０００１】
本発明は、シャープペンシルを含む複数種類の筆記体を備えた複式筆記具に係り、特に、上記シャープペンシルの芯タンクに収納された替芯の芯折れを防止すると共に、上記芯タンクに収納しうる替芯の数を増加して芯補充の煩雑を解消しうる複式筆記具に関する。
【背景技術】
【０００２】
従来の複式筆記具には、１本の軸の内部に、インキの色が異なる複数本のボールペンとシャープペンシルとが組み合わされて収納され、軸先端口から筆先部を交互に出没させるように構成されたものが存在する。
【０００３】
上記のボールペンやシャープペンシル等からなる各筆記体は、縦長パイプ状に形成された筆記体本体と、この筆記体本体の後端部に圧入されて接合され、使用者の指の操作により、筆記時には、上記筆記体本体をスプリングの付勢力に抗して軸先端口から突出させると共に、不使用時には、スプリングの付勢力により後退させうる繰出操作部材と、上記筆記体本体及び繰出操作部材を軸方向に収納する略細長円筒形状のケース部材とにより構成されている。
そして、シャープペンシルの場合には、上記筆記体本体はシャープペンシル本体及び、シャープペンシル本体の後端部に連設固定された芯タンクにより形成されている。
【０００４】
上記複式筆記具では、軸の内部空間に対し、複数の筆記体が密な状態で収納されていることから、各筆記体は複式筆記具のケース部材の軸中心位置には配置されておらず、中心部から径方向外方に偏移した位置に配置されている。
すなわち、各筆記体は軸先端口の軸方向の延長線上には配置されていないことから、軸先端口から筆先部が突出する際には、若干、筆記体の軸中心方向へ撓むことが必要となる。
しかしながら、従来の複式筆記具では、上記芯タンクは剛性樹脂製であると共に、上記繰出操作部材における連結部は、上記筆記体における上記後端開口部へ圧入されているため、上記連結部を含め剛性樹脂製の芯タンクそのものが径方向において撓むことになる。      
この場合、シャープペンシルにあっては、芯タンクが撓んだ場合には上記芯タンク内に収納した替芯が芯折れする可能性があるため、芯タンクの撓み量を小さくする必要がある。  
その結果、芯タンクの撓みを小さくするには、芯タンクの肉厚を大きくする必要があることから、結果的に芯タンクの容量も減少し、芯タンクに収納しうる替芯の本数が１〜２本と少なく、使用時にあっては、使用時において度々替芯を補充しなければならず、煩雑であった。
【０００５】
本出願人は上記不具合を解消しうる複式筆記具について先行技術を調査したが、関連する先行技術文献を発見することはできなかった。
【発明の開示】
【発明が解決しようとする課題】
【０００６】
そこで本発明の課題は、複数の筆記体を備え、その筆記体の一つにシャープペンシルが含まれる複式筆記具であって、上記シャープペンシルの芯タンクに収納された替芯の芯折れを防止できると共に、上記芯タンクの容量を増大して替芯の収納本数を増加させることにより替芯補充の煩雑を解消することができ、さらに、各筆記体の筆先部が軸から出没する場合に、筆先部の出没を円滑にすることができ複式筆記具を提供することにある。
【課題を解決するための手段】
【０００７】
上記課題を解決するために、本発明に係る複式筆記具は、筆記具用軸の内部に、シャープペンシルを含む複数種類の筆記体が収納され、各筆記体は筆先部を軸先端口において交互に出没しうるように構成された複式筆記具であって、上記シャープペンシルは、シャープペンシル本体と、上記シャープペンシル本体の後端部に連設された芯タンクと、上記芯タンクの後端部に接合された繰出操作部材とを備えた複式筆記具において、上記芯タンクは金属製であると共に、上記繰出操作部材の先端部には、上記芯タンクの軸方向に沿って折り曲げ可能に形成された接合部が設けられていることを特徴とする。
【０００８】
すなわち、本発明に係る上記複式筆記具は、上記芯タンクが金属で形成され剛性が高められている。したがって、上記芯タンクは撓みにくく、撓みを防止するために肉厚を大きくする必要がない。これにより芯タンクの肉厚を小さくして、その分容量を増大して替芯の収納本数を増加させることができる。
また、上記シャープペンシルが筆先部を軸先端口から突出させる場合に、上記芯タンクは撓むのではなく、上記接合部により直線状を維持したまま折れ曲がることにより筆先部を軸先端口から突出させることができる。したがって、上記芯タンクに収納された替芯が芯折れすることもない。
【０００９】
また、本発明に係る上記複式筆記具にあっては、上記接合部は、上記芯タンク内に挿入されて芯タンクと接合され、上記芯タンクの内周面部に対して、常時、径方向において線接触し、上記接触部位を支点として、上記繰出操作部材と上記芯タンク及びシャープペンシル本体とが、径方向に沿って相互に折れ曲がりうるように接合されるように形成されていることを特徴とする。
【００１０】
すなわち、本発明に係る上記複式筆記具は、上記芯タンク及びシャープペンシルは上記繰出操作部材に対し上記接触部位を支点として回転運動を行うことにより円滑に折れ曲がることができる。したがって、シャープペンシルの筆先部を軸先端口からスムースに突出させることができる。
【００１１】
また、本発明に係る上記複式筆記具にあっては、上記接合部は、全体略円錐状に形成され、先端部方向に至るに従って次第に細径となる周面を有する突起部を有することを特徴とする。
【００１２】
すなわち、本発明に係る上記複式筆記具は、上記芯タンクが上記繰出操作部材に対し折れ曲がって傾斜する際に、上記接合部における上記突起部の周面が上記芯タンクの内周面部に接触して支点となるように形成されている。また、上記芯タンクが上記突起部に対し傾斜する際、円滑に傾斜しうるように、上記突起部は全体略円錐状に形成され、先端部方向に至るに従って次第に細径となる周面を有している。
【００１３】
また、本発明に係る上記複式筆記具にあっては、上記芯タンクの後端部には、上記突起部の繰出操作部材の後端部側に配置され、上記突起部と係合しうるリブが設けられていることを特徴とする。
【００１４】
すなわち、本発明に係る上記複式筆記具は、上記芯タンクの内部に挿入された上記接合部の突起部が、上記芯タンクの上記リブと係合することにより抜け止めされうるように形成されている。
【００１５】
また、本発明に係る上記複式筆記具にあっては、上記接合部は、上記突起部の繰出操作部材の後端部側において設けられ、上記繰出操作部材と上記芯タンク及びシャープペンシル本体とが、径方向に沿って相互に折れ曲がった場合には、上記リブが当接しうるフランジ部を有することを特徴とする。
【００１６】
すなわち、本発明に係る上記複式筆記具は、上記芯タンクが上記接合部に対し折れ曲がった場合に、上記リブに上記フランジ部が当接することにより、上記芯タンクの折れ曲がりが上記フランジ部により規制されることになり、上記芯タンクを適度な傾斜角度にすることができる。
また、芯を繰り出すために、上記繰出操作部材を軸方向へノックした場合に、上記フランジ部がノック力を確実に芯タンクを介してシャープペンシル本体に伝達することができる。
【００１７】
また、本発明に係る上記複式筆記具にあっては、上記芯タンクの後端部には、軸方向に沿ってスリットが形成されていることを特徴とする。
【００１８】
すなわち、本発明に係る上記複式筆記具は、上記芯タンクの後端部が上記スリットにより径方向へ弾性変形しうるように形成されている。
【００１９】
また、本発明に係る上記複式筆記具にあっては、上記スリットは、径方向において対向する部位に夫々設けられていることを特徴とする。
【００２０】
すなわち、本発明に係る上記複式筆記具は、上記芯タンクの後端部を弾性変形可能とする上記スリットが径方向において対向する部位に夫々設けられることにより、上記弾性変形をより容易化すると共に、芯タンクにおける対向する部位で均等に弾性変形しうるように形成されている。
【発明の効果】
【００２１】
請求項１記載の本発明に係る複式筆記具は、筆記具用軸の内部に、シャープペンシルを含む複数種類の筆記体が収納され、各筆記体は筆先部を軸先端口において交互に出没しうるように構成された複式筆記具であって、上記シャープペンシルは、シャープペンシル本体と、上記シャープペンシル本体の後端部に連設された芯タンクと、上記芯タンクの後端部に接合された繰出操作部材とを備えた複式筆記具において、上記芯タンクは金属製であると共に、上記繰出操作部材の先端部には、上記芯タンクの軸方向に沿って折り曲げ可能に形成された接合部が設けられていることから、
上記シャープペンシルの筆先部を軸先端口から突出させるために、上記繰出操作部材により上記シャープペンシルを前進させる際に、上記芯タンクは殆ど直線形状を維持しながら上記繰出操作部材の上記接合部に対し折れ曲がって傾くだけなので、無理に撓むことが無く、上記芯タンクに収納した替芯の芯折れを防止することができる。
また、上記芯タンクの撓みが極めて小さく、その撓みを防止するために、芯タンクの肉厚寸法を大きくする必要がないので、芯タンクの容量を大きくして替芯の収納本数を増加することができ、煩雑な替芯の補充作業を解消することができる。
また、上記芯タンクが、剛性の高い金属により形成されていることから、上記芯タンクがさらに撓みにくく、その分、厚さ寸法を小さくできるので、芯タンクの容量を増やして替芯の収納本数を増加させることができ、煩雑な替芯の補充作業を減らすことができる。
また、上記芯タンクが無理に撓んで軸内面部に密着することにより摩擦が増大することを回避できるので、軸先端口において筆先部をスムースに出没させることができる。
【００２２】
請求項２記載の本発明に係る上記複式筆記具にあっては、上記接合部は、上記芯タンク内に挿入されて芯タンクと接合され、上記芯タンクの内周面部に対して、常時、径方向において線接触し、上記接触部位を支点として、上記繰出操作部材と上記芯タンク及びシャープペンシル本体とが、径方向に沿って相互に折れ曲がりうるように接合されるように形成されていることから、
上記接合部との接触部位を支点として、上記芯タンクを接合部に対し容易かつ円滑に折り曲げて傾斜させることができる。
【００２３】
請求項３記載の本発明に係る上記複式筆記具にあっては、上記接合部は、全体略円錐状に形成され、先端部方向に至るに従って次第に細径となる周面を有する突起部を有することから、
上記接合部として上記芯タンクに接触する部位となる上記突起部が全体略円錐状のため、上記芯タンクが上記突起部に対し円滑に折れ曲がって傾斜することができる。
【００２４】
請求項４記載の本発明に係る上記複式筆記具にあっては、上記芯タンクの後端部には、上記突起部の繰出操作部材の後端部側に配置され、上記突起部と係合しうるリブが設けられていることから、
上記芯タンクが上記繰出操作部材の上記接合部に対し折れ曲がって傾斜しても、上記接合部における上記突起部が上記リブに係合して抜け止めされるので、上記繰出操作部材による上記芯タンクの保持力が低下することがなく、上記接合部が上記芯タンクから抜出して分解するのを防止することができる。
【００２５】
請求項５記載の本発明に係る上記複式筆記具にあっては、上記接合部は、上記突起部の繰出操作部材の後端部側において設けられ、上記繰出操作部材と上記芯タンク及びシャープペンシル本体とが、径方向に沿って相互に折れ曲がった場合には、上記リブが当接しうるフランジ部を有することから、
上記芯タンクが上記接合部に対し過大に折れ曲がるのを上記フランジ部が阻止することができる。
また、上記繰出操作部材をノックして上記シャープペンシルの芯を繰り出す際に、上記フランジ部が上記芯タンクのリブに確実に当接するので、上記繰出操作部材のノック操作による芯の繰り出し作業が損なわれない。
【００２６】
請求項６記載の本発明に係る上記複式筆記具にあっては、上記芯タンクの後端部には、軸方向に沿ってスリットが形成されていることから、
上記芯タンクが上記接合部に対し折れ曲がって傾斜する際に、上記接合部における上記接触支点部が上記芯タンクの内周面部を押圧した場合に、上記芯タンクの内周面部が上記スリットにより弾性変形して柔軟に追従するので、上記芯タンクは必要量だけ容易に傾斜することができる。
【００２７】
請求項７記載の本発明に係る上記複式筆記具にあっては、上記スリットは、径方向において対向する部位に夫々設けられていることから、
上記芯タンクが上記接合部に対し折れ曲がって傾斜する際に、上記接合部における上記接触支点部が上記芯タンクの内周面部を押圧した場合に、上記芯タンクの内周面部の弾性変形が容易化し、かつ芯タンクの内周面部において対向する部位が均等に弾性変形するので、上記芯タンクの傾斜がより円滑化する。
【発明を実施するための最良の形態】
【００２８】
以下、図面を用いて本発明の実施の形態について説明する。
本実施の形態に係る複式筆記具１１は、図１に示すように、筆記具用軸１２の内部に、シャープペンシル２１を含む複数種類の筆記体１３，１４，１５が収納され、各筆記体１３，１４，１５は筆先部１６，１７を軸先端口１８において交互に出没しうるように構成された複式筆記具１１であって、上記シャープペンシル２１は、図２に示すように、シャープペンシル本体３９と、上記シャープペンシル本体３９の後端部に連設された芯タンク４０と、上記芯タンク４０の後端部に接合された繰出操作部材２４とを備えた複式筆記具１１において、上記芯タンク４０は金属製であると共に、上記繰出操作部材２４の先端部には、図４に示すように、上記芯タンク４０の軸方向に沿って折り曲げ可能に形成された接合部３４が設けられている。
また、上記接合部３４は、図４に示すように、上記芯タンク４０内に挿入されて芯タンク４０と接合され、上記芯タンク４０の内周面部に対して、常時、径方向において線接触し、上記接触部位を支点として、上記繰出操作部材２４と上記芯タンク４０及びシャープペンシル本体３９とが、径方向に沿って相互に折れ曲がりうるように接合されるように形成されている。
また、上記接合部３４は、図２〜図４に示すように、全体略円錐状に形成され、先端部方向に至るに従って次第に細径となる周面を有する突起部３８を有している。
また、上記芯タンク４０の後端部には、図２〜図４に示すように、上記突起部３８の繰出操作部材２４の後端部側に配置され、上記突起部３８と係合しうるリブ４１が設けられている。
また、図２及び図３に示すように、上記接合部３４は、上記突起部３８の繰出操作部材２４の後端部側において設けられ、上記繰出操作部材２４と上記芯タンク４０及びシャープペンシル本体３９とが、径方向に沿って相互に折れ曲がった場合には、図４に示すように、上記リブ４１が当接しうるフランジ部３７を有している。
また、上記芯タンク４０の後端部には、図２〜図４に示すように、軸方向に沿ってスリット４２，４３が形成されている。
また、上記スリット４２，４３は、図２に示すように、径方向において対向する部位に夫々設けられている。
【実施例１】
【００２９】
図は実施例に係る複式筆記具１１を示したものである。
本実施例に係る複式筆記具１１は、図１に示すように、筆記具用軸１２の内部に３種類の筆記体１３，１４，１５が収納されている。
上記筆記体１３，１４，１５のうち２本はボールペン１９，２０であって、他の１本はシャープペンシル２１となっている。
上記シャープペンシル２１は、図２に示すように、シャープペンシル本体３９と、その後方に連設された芯タンク４０により構成されている。
【００３０】
図１に示すように、上記筆記具用軸１２は、互いに着脱可能な上軸２８と下軸２９とにより構成されている。
上記ボールペン１９，２０と上記シャープペンシル２１は、その筆先部１６，１７を、上記下軸２９の先端に設けられた軸先端口１８において交互に出没しうるように構成されている。
【００３１】
図１に示すように、上記筆記体１３，１４，１５には、夫々、繰出操作部材２２，２３，２４が連結されている。
上記繰出操作部材２２，２３，２４は後端部にノック操作部２５，２６，２７を有している。
【００３２】
図１に示すように、上記筆記具用軸１２における上記上軸２８には、軸方向に沿ってガイド孔３０が設けられ、上記ノック操作部２５，２６，２７は上記ガイド孔３０から軸外へ突出している。
なお、一つの上記ノック操作部２７にはクリップ３１が一体に形成されている。
【００３３】
上記繰出操作部材２４には、図２に示すように、係止突起３２と、他の筆記体の係止解除用突起３３とが形成されている。なお、図示は省略するが、他の繰出操作部材２２，２３にも同様に係止突起と、係止解除突起が設けられている。
【００３４】
上記筆記具用軸１２の内部には、図示はしないが、各筆記体１３，１４，１５を軸方向へ案内する支持部材が設けられ、上記支持部材には上記係止突起３２が係合しうる係止部が設けられている。
【００３５】
上記各筆記体１３，１４，１５には、夫々、図示はしないが、復帰用のスプリングが装着されている。すなわち、各筆記体１３，１４，１５は上記スプリングにより後方へ付勢されている。
【００３６】
上記各筆記体１３，１４，１５の一つを、上記ノック操作部２５，２６，２７を前方へ押すことにより前進させて、一つの上記筆先部１６，１７を軸先端口１８から突出させると、上記係止突起３２が上記係止部に係合して固定される。これにより、筆記が可能となる。
次に、他の筆記体１３，１４，１５のノック操作部２５，２６，２７を前方へ押すと、上記係止解除用突起３３が上記係止部に係合している係止突起３２に触れて係合状態を外すことになる。したがって、前進していた筆記体１３，１４，１５は上記スプリングの力で後方へ押し戻され、元の位置に復帰する。
したがって、上記の操作を行うことにより、各筆記体１３，１４，１５は筆先部１６，１７を軸先端口１８において交互に突出させることができる。
【００３７】
上記繰出操作部材２２，２３，２４と上記筆記体１３，１４，１５は一体に連結されている。
上記シャープペンシル２１の繰出操作部材２４の先端部には、図２〜図４に示すように、接合部３４が形成されている。
上記接合部３４は、図３及び図４に示すように、シャープペンシル２１のパイプ状に形成された上記芯タンク４０の内部に後端開口部３５から挿入されている。
【００３８】
上記シャープペンシル２１の繰出操作部材２４に設けられた上記接合部３４は、図２〜図４に示すように、小径軸部３６と、上記小径軸部３６の先端部に全体略円錐状に形成された突起部３８と、上記突起部３８の後方で上記小径軸部３６における軸方向の略中央部に形成されたフランジ部３７とを有している。
略円錐状に形成された上記突起部３８は、先端部方向に至るに従って次第に細径となる周面４４を有している。
【００３９】
図３及び図４に示すように、上記小径軸部３６は上記芯タンク４０の内径より小さい外径を有し、上記突起部３８は上記芯タンク４０の内径と略同一の外径を有し、上記フランジ部３７は上記芯タンク４０の外径より僅かに大きい外径を有している。
上記突起部３８は、上記芯タンク４０内に挿入されて、上記芯タンク４０の内周面部に対し、常時、径方向において線接触している。
【００４０】
また、上記芯タンク４０は金属製で肉厚が小さく形成されると共に、図２〜図４に示すように、後端部にリブ４１を周設している。
上記リブ４１は、図３及び図４に示すように、芯タンク４０の内面側に下端部を幾分突出させていて、上記接合部３４における上記突起部３８と係合しうるように形成されている。
【００４１】
図３及び図４に示すように、芯タンク４０の内部に挿入された上記接合部３４の突起部３８は、上記リブ４１と係合することにより、上記芯タンク４０から抜け止めされている。
また、上記フランジ部３７は、上記芯タンク４０の内部には挿入されておらず、上記後端開口部３５の少し後方位置に配置されている。
【００４２】
上記芯タンク４０の後端部には、図２〜図４に示すように、軸方向に沿ってスリット４２，４３が形成されている。上記スリット４２，４３は、図２に示すように、径方向において対向する部位に夫々設けられている。
【００４３】
以下に、上記実施例の作用について説明する。
上記シャープペンシル２１の繰出操作部材２４は、先端部に形成された上記接合部３４を上記芯タンク４０に挿入することにより上記シャープペンシル２１と接続されている。
上記繰出操作部材２４のノック操作部２７をノックすると、上記シャープペンシル２１は前方へ移動して上記筆先部１７を軸先端口１８から突出させることができるが、上記シャープペンシル２１は軸中心から偏移するように配置されているので、筆先部１７を軸先端口１８から突出させるには若干シャープペンシル２１を傾斜させる必要がある。この場合、シャープペンシル２１の芯タンク４０を無理に撓ませると、芯タンク４０に収納された替芯が芯折れしてしまうという不具合があるので、上記芯タンク４０は撓ませず、直線状を維持した状態で傾斜させる必要がある。
【００４４】
本発明に係る上記実施例の複式筆記具１１にあっては、繰出操作部材２４の先端接合部３４の形状に工夫を施すことにより上記不具合を解消している。
すなわち、上記先端接合部３４は、図２〜図４に示すように、上記芯タンク４０の内径より外径の小さい小径軸部３６と、上記小径軸部３６の先端に全体略円錐状に形成された上記突起部３８と、上記突起部３８の少し後方位置に配置された上記フランジ部３７とを有して、上記突起部３８の外径が上記芯タンク４０の内径と略同一に設定されていることから、上記突起部３８の周面４４が上記芯タンク４０の内周面部に接触し、その接触部位を支点として、上記芯タンク４０は上記繰出操作部材２４に対し回転運動を行って容易に傾斜することができる。
したがって、上記シャープペンシル２１の筆先部１７はスムースに軸中心部に向かい、上記軸先端口１８から突出することができると共に、上記芯タンク４０は無理に撓まないで、直線状を維持したまま傾斜することができる。これにより、上記芯タンク４０の内部に収納した替芯が芯折れすることがない。
また、上記のように芯折れを防止できることから、上記芯タンク４０の肉厚も薄くすることができるので、上記芯タンク４０の容量を増やして替芯の収納本数を増加することができ、煩雑な替芯の補充作業を減らすことができる。
【００４５】
また、上記接合部３４における上記フランジ部３７は、上記芯タンク４０が傾斜した状態で上記リブ４１に当接するので、ストッパーの役割を果たし、上記芯タンク４０が過度に傾斜するのを防止することができる。
また、上記フランジ部３７は上記リブ４１に当接することで、上記繰出操作部材２４のノック操作部２７をノックした場合に、そのノック力を確実に上記シャープペンシル２１に伝達できるので、シャープペンシル２１の芯を支障なく繰り出して筆記することができる。
【００４６】
また、上記芯タンク４０に形成された上記リブ４１は、上記突起部３８と係合することにより上記突起部３８を抜け止めし、上記芯タンク４０と上記繰出操作部材２４との分解を防止することができる。
【００４７】
また、上記芯タンク４０の後端部に形成された上記スリット４２，４３により上記芯タンク４０が容易に弾性変形できるので、上記芯タンク４０は上記繰出操作部材２４に対し容易かつ円滑に折れ曲がって傾斜することができる。
【産業上の利用可能性】
【００４８】
本発明はシャープペンシルを含む複数の筆記体を備えた複式筆記具に適用可能である。
【図面の簡単な説明】
【００４９】
【図１】本発明の実施例に係る複式筆記具の一部切断斜視図である。
【図２】本発明の実施例に係る繰出操作部材とシャープペンシルの斜視図である。
【図３】本発明の実施例に係る繰出操作部材の先端接合部をシャープペンシルの芯タンクに挿入した状態を示す断面図である。
【図４】本発明の実施例に係る繰出操作部材の先端接合部に対しシャープペンシルの芯タンクを傾斜させた状態の断面図である。
【符号の説明】
【００５０】
１１  複式筆記具
１２  筆記具用軸
１３  筆記体
１４  筆記体
１５  筆記体
１６  筆先部
１７  筆先部
１８  軸先端口
１９  ボールペン
２０  ボールペン
２１  シャープペンシル
２２  繰出操作部材
２３  繰出操作部材
２４  繰出操作部材
２５  ノック操作部
２６  ノック操作部
２７  ノック操作部
２８  上軸
２９  下軸
３０  ガイド孔
３１  クリップ
３２  係止突起
３３  係止解除突起
３４  接合部
３５  後端開口部
３６  小径軸部
３７  フランジ部
３８  突起
３９  シャープペンシル本体
４０  芯タンク
４１  リブ
４２  スリット
４３  スリット
４４  突起部の周面
【図１】
2008221512.tif 000003
【図２】
2008221512.tif 000004
【図３】
2008221512.tif 000005
【図４】
2008221512.tif 000006